(57)【要約】      （修正有）【課題】静音性が求められる撮影環境において、撮影直後に撮影復帰動作を実行させず、静音性を確保する。【解決手段】撮像装置は、タッチパネルが接触操作を受け付けた場合に撮影動作を実行し、撮影動作終了後に、ミラーチャージおよびシャッターチャージの少なくともいずれかの撮影復帰動作を行う場合、タッチパネルの再度の接触操作や定められた閾値以上の加速度検出など、予め設定された条件が満たされるまで復帰動作を保留する。【選択図】図１
2013175881.tif 000002
【特許請求の範囲】
【請求項１】
ユーザの接触操作を受け付けるタッチパネルと、
前記タッチパネルが前記接触操作を受け付けた場合に撮影動作を開始すると共に、予め設定された条件が満たされるまで前記撮影動作後の撮影復帰動作を保留する撮影制御部と
を備える撮像装置。
【請求項２】
前記撮影復帰動作は、ミラーチャージおよびシャッタチャージの少なくともいずれかを含む請求項１に記載の撮像装置。
【請求項３】
前記条件は、前記タッチパネルが再度の前記接触操作を受け付けることである請求項１または2に記載の撮像装置。
【請求項４】
加速度センサを備え、
前記条件は、前記加速度センサが予め定められた閾値以上の加速度を検出することである請求項１から３のいずれか１項に記載の撮像装置。
【請求項５】
前記条件は、前記撮影動作の時点から予め定められた保留時間が経過したことである請求項１から４のいずれか１項に記載の撮像装置。
【請求項６】
前記撮影復帰動作を保留している期間であっても、前記撮影動作による撮影画像の確認表示を開始させる表示制御部を備える請求項１から５のいずれか１項に記載の撮像装置。
【請求項７】
前記撮影復帰動作として、ミラーチャージおよびシャッタチャージを含む場合は、前記条件が満たされたときに、前記ミラーチャージを先に実行する請求項１から６のいずれか１項に記載の撮像装置。
【請求項８】
前記撮影復帰動作としていずれの動作を保留するかの選択を受け付ける選択部を備える請求項１から７のいずれか１項に記載の撮像装置。
【請求項９】
前記撮影制御部は、前記撮影復帰動作を保留しない場合に比べて、シャッタ速度を高速側にシフトさせて前記撮影動作を実行する請求項１から８のいずれか１項に記載の撮像装置。
【請求項１０】
前記撮影制御部は、前記撮影動作として、連続的に取得した複数の画像を位置合わせして合成する合成処理を実行する請求項１から９のいずれか１項に記載の撮像装置。
【請求項１１】
タッチパネルによりユーザの接触操作を受け付ける受付ステップと、
前記受付ステップにより前記接触操作を受け付けた場合に撮影動作を実行する撮影動作ステップと、
予め定められた条件が満たされるまで待機する待機ステップと、
前記条件が満たされた場合に、撮影復帰動作を実行する撮影復帰動作ステップと
をコンピュータに実行させる撮像装置の制御プログラム。
【発明の詳細な説明】
【技術分野】
【０００１】
本発明は、撮像装置、および撮像装置の制御プログラムに関する。
【背景技術】
【０００２】
ユーザがタッチパネルを接触操作することによって撮影動作を開始するデジタルカメラ等の撮像装置が知られている。
［先行技術文献］
［特許文献］
［特許文献１］特開平１１−２５２４２７号公報
【発明の概要】
【発明が解決しようとする課題】
【０００３】
ユーザは、例えばライブビュー画像の表示中にタッチパネルを接触操作し、被写体の撮影を行う。撮像装置は、撮影動作後に、シャッタチャージ等の撮影復帰動作を実行する。撮影復帰動作は、撮像装置の構成部材を機械的に移動させる動作を含むので、音の発生を伴う。したがって、例えば静音性が求められる撮影環境においては、ユーザは、静音性を確保するために、撮影直後に撮影復帰動作を実行させたくない場合がある。しかし、従来の撮像装置は、ユーザの要望に応えることができなかった。
【課題を解決するための手段】
【０００４】
本発明の第１の態様における撮像装置は、ユーザの接触操作を受け付けるタッチパネルと、タッチパネルが接触操作を受け付けた場合に撮影動作を開始すると共に、予め設定された条件が満たされるまで撮影動作後の撮影復帰動作を保留する撮影制御部とを備える。
【０００５】
本発明の第２の態様における撮像装置の制御プログラムは、タッチパネルによりユーザの接触操作を受け付ける受付ステップと、受付ステップにより接触操作を受け付けた場合に撮影動作を実行する撮影動作ステップと、予め定められた条件が満たされるまで待機する待機ステップと、条件が満たされた場合に、撮影復帰動作を実行する撮影復帰動作ステップとをコンピュータに実行させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本発明の一実施形態に係るデジタルカメラの側面図を示す。
【図２】本発明の一実施形態に係るデジタルカメラの背面図である。
【図３】本発明の一実施形態に係るデジタルカメラのシステム構成図である。
【図４】ライブビュー表示中に撮影を行う方法を説明するための図である。
【図５】本実施形態に係るデジタルカメラを用いて静音モードで撮影する場合の撮影フローを示すフローチャートである。
【図６】第一の実施例に係る撮影復帰動作処理を説明するための図である。
【図７】第一の実施例に係る撮影復帰動作処理の一例を示す図である。
【図８】第二の実施例に係る撮影復帰動作処理を説明するための図である。
【図９】第二の実施例に係る撮影復帰動作処理の一例を示す図である。
【図１０】第三の実施例に係る撮影復帰動作処理を説明するための図である。
【図１１】第三の実施例に係る撮影復帰動作処理の一例を示す図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係るデジタルカメラ１００の側面図である。デジタルカメラ１００は、カメラ本体１０１と、カメラ本体１０１に着脱可能に取り付けられる交換レンズ１０２とを備える。デジタルカメラ１００は、カメラ本体１０１と交換レンズ１０２とが組み合わされて、カメラとしての機能を発揮する。
【００１０】
図２は、デジタルカメラ１００の背面図である。カメラ本体１０１の背面には、表示部１０３が設けられている。表示部１０３は、使用時においてはライブビュー画像、再生画像、メニュー等を表示する。表示部１０３には、液晶素子、有機ＥＬ素子等が用いられる。表示部１０３には、タッチパネル１０４が配設されている。カメラ本体１０１の背面には、複数の操作部材１０５が設けられている。ユーザは、操作部材１０５を操作することによって、デジタルカメラ１００に指示を与える。操作部材１０５は、ライブビューボタン１０６、メニューボタン１０７、十字キー１０８、決定ボタン１０９、再生ボタン１１０を含む。
【００１１】
ライブビューボタン１０６は、表示部１０３にライブビュー表示を実行させるためのボタンである。メニューボタン１０７は、メニュー項目を表示させるためのボタンである。ユーザがメニューボタン１０７を操作すると、表示部１０３は、メニュー項目を表示する。メニュー項目は、後述する静音モードの詳細な設定を行うための静音モードセットアップ項目等、デジタルカメラ１００の各種設定を行うための複数の項目を含む。十字キー１０８は、メニュー項目等を選択するためのボタンである。決定ボタン１０９は、選択した項目を確定させるためのボタンである。再生ボタン１１０は、デジタルカメラ１００を再生モードへ移行させ、デジタルカメラ１００に記録された画像を表示部１０３に再生させるボタンである。
【００１２】
カメラ本体１０１の上部には、撮影モードを選択するための回転式の撮影モードダイヤル１１１が設けられている。ユーザは、撮影モードダイヤル１１１を操作することによって、マニュアルモード、絞り優先モード、または静音モード等の撮影モードを選択することができる。ここで、静音モードとは、ユーザが、ミラーチャージ等の撮影復帰動作を、ユーザの要望するタイミングで実行させる撮影モードである。カメラ本体１０１の背面上部には、ファインダ１１２が設けられている。ユーザは、ファインダ１１２に接眼して内部をのぞき込み、ファインダ１１２内に映し出される被写体像を視認してデジタルカメラ１００に撮影指示を行う。
【００１３】
図３は、本実施形態に係るデジタルカメラ１００のシステム構成図である。交換レンズ１０２は、光軸Ａに沿って配列された光学系１１３を有する。光学系１１３は、ズームレンズ１１４、フォーカスレンズ１１５、および絞り１１６を含む。レンズシステム制御部１１７は、後述するシステム制御部１３３からの指令の下、フォーカスレンズ１１５、ズームレンズ１１４、および絞り１１６を制御する。
【００１４】
交換レンズ１０２は、カメラ本体１０１との接続部に、レンズマウント１１８を備える。レンズマウント１１８は、カメラ本体１０１に設けられたカメラマウント１１９と係合する。レンズマウント１１８およびカメラマウント１１９は、それぞれ、機械的な係合部の他に電気的な接続部も備える。カメラ本体１０１は、レンズマウント１１８およびカメラマウント１１９を介して、交換レンズ１０２への電力の供給、および、交換レンズ１０２との通信を実行する。
【００１５】
メインミラー１２０は、回転軸を介してカメラ本体１０１に枢支されている。メインミラー１２０は、回転軸周りに回転し、光軸Ａを中心とする被写体光束中に斜設される斜設位置と、被写体光束から退避する退避位置との間を往復動する。ペンタプリズム１２２側へ被写体像を導く場合には、メインミラー１２０は、斜設位置に配置される。一方、ライブビュー表示を実行する場合等のように、撮像素子１２６側へ被写体像を導く場合には、メインミラー１２０は、退避位置に配置される。なお、メインミラー１２０は、カメラ本体１０１に設けられたモータによって機械的に駆動される。斜設位置に配置されたメインミラー１２０によって反射された被写体像は、ペンタプリズム１２２を経て、ファインダ１１２に導入される。測光センサ１２３は、ペンタプリズム１２２の射出面上方に配置され、ペンタプリズム１２２から射出された被写体像の一部を受光する。
【００１６】
斜設位置に配置されたメインミラー１２０の光軸Ａの近傍領域は、ハーフミラーとして形成されており、入射される光束の一部を透過させる。透過した光束は、サブミラー１２１で反射されて、ＡＦセンサ１２４へ導入される。ＡＦセンサ１２４は、受光した被写体光束から位相差信号を検出する。なお、サブミラー１２１は、メインミラー１２０が被写体光束から退避する場合は、メインミラー１２０に連動して被写体光束から退避する。図３において、斜設位置に配置されたメインミラー１２０およびサブミラー１２１を実線でそれぞれ示す。また、退避位置に配置されたメインミラー１２０およびサブミラー１２１を点線でそれぞれ示す。
【００１７】
斜設位置に配置されたメインミラー１２０の後方には、光軸Ａに沿って、フォーカルプレーンシャッタ１２５、および撮像素子１２６が配設されている。フォーカルプレーンシャッタ１２５は、先幕と後幕の２つの幕で構成される。フォーカルプレーンシャッタ１２５は、カメラ本体１０１に設けられたモータによって機械的に駆動される。撮像素子１２６は、受光した被写体像を光電変換する。撮像素子１２６で光電変換された被写体像は、Ａ／Ｄ変換器１２７でアナログ信号からデジタル信号に変換される。デジタル信号に変換された被写体像は、画像データとして順次処理される。Ａ／Ｄ変換器１２７によりデジタル信号に変換された画像データは、画像処理部１２８へ引き渡される。画像処理部１２８は、ユーザが撮影モードダイヤル１１１で選択した撮影モード等に従って、画像データをＪＰＥＧ等の規格化された画像フォーマットの画像データに変換する。
【００１８】
Ａ／Ｄ変換器１２７によりデジタル信号に変換された画像データは、一旦内部メモリ１２９に記憶される。内部メモリ１２９は、高速で読み書きのできるランダムアクセスメモリであり、例えばＤＲＡＭ、ＳＲＡＭなどが用いられる。内部メモリ１２９は、連写撮影等において高速に連続して画像データが生成される場合に、画像処理の順番を待つバッファメモリとしての役割を担う。画像処理部１２８によって処理された画像データは、内部メモリ１２９から外部機器ＩＦ１３０を介して、記録媒体の記録部１３１に記録される。記録部１３１は、フラッシュメモリ等により構成される不揮発性メモリである。
【００１９】
画像処理部１２８は、記録用に処理される画像データと並行して、表示用の画像データを生成する。表示用の画像データは、記録用に処理される画像データをコピーして間引き処理された、画素数の少ない画像データである。生成された表示用の画像データは、表示制御部１３２の制御に従って、表示部１０３に表示される。記録の有無に関わらず、逐次表示用の画像データを生成して表示部１０３に表示すれば、スルー画としてのライブビュー表示を実現することができる。また、表示制御部１３２は、画像の表示と共に、もしくは画像を表示することなく、上述したメニュー項目も表示部１０３に表示することができる。
【００２０】
デジタルカメラ１００は、システム制御部１３３を備える。システム制御部１３３は、上記の画像処理における各々の要素も含めて、デジタルカメラ１００を直接的または間接的に制御する。システム制御部１３３は、システムメモリ１３４と通信する。システムメモリ１３４は、電気的に消去・記録可能な不揮発性メモリであり、例えばＥＥＰＲＯＭ（登録商標）等により構成される。システムメモリ１３４は、デジタルカメラ１００の動作時に必要な定数、変数、プログラム等を、デジタルカメラ１００の非動作時にも失われないように記録している。また、システムメモリ１３４は、撮影時における露出値を規定するプログラム線図を撮影モードごとに記録している。システム制御部１３３は、定数、変数、プログラム等を適宜内部メモリ１２９に展開して、デジタルカメラ１００の制御に利用する。
【００２１】
システム制御部１３３は、測光センサ１２３が検知した測光データ、または画像処理部１２８が処理した画像データを用いて、撮影モードに応じたプログラム線図を参照して、露出値を算出する。シャッタ制御部１３５は、システム制御部１３３から受信したシャッタ速度の情報に従って、フォーカルプレーンシャッタ１２５にシャッタ動作を実行させる。シャッタ制御部１３５は、まず、撮影の準備動作として、シャッタチャージを実行する。具体的には、シャッタ制御部１３５は、モータに制御信号を送り、フォーカルプレーンシャッタ１２５の先幕および後幕を、シャッタ動作の待機位置に機械的に移動させる。
【００２２】
シャッタ制御部１３５は、システム制御部１３３からシャッタ動作の指令を受け取ると、フォーカルプレーンシャッタ１２５の先幕を走らせて開放状態とする。続いて、シャッタ制御部１３５は、システム制御部１３３から受信したシャッタ速度の情報が示す時間だけ遅らせて後幕を走らせて遮蔽状態とする。撮像素子１２６は、フォーカルプレーンシャッタ１２５が開放状態となっている期間に露光する。撮影動作が終了すると、シャッタ制御部１３５は、次の撮影に向けた撮影復帰動作として、モータを駆動してシャッタチャージを再度実行する。
【００２３】
また、本実施形態においては、フォーカルプレーンシャッタ１２５と電子シャッタとを組み合わせたシャッタ動作を実行することもできる。この場合、システム制御部１３３は、まず、撮像素子１２６の各画素を構成するフォトダイオードに蓄積された電荷を行方向に順次リセットする。次いで、システム制御部１３３は、シャッタ制御部１３５に指令を送り、蓄積電荷のリセット時から指定された時間だけ遅れてフォーカルプレーンシャッタ１２５の後幕を、電荷のリセットを追尾するように走らせて、遮蔽状態とする。そして、蓄積電荷のリセット時から後幕が遮蔽状態となるまでの間に、撮像素子１２６は露光し、被写体像を取り込む。
【００２４】
なお、後述するように、本実施形態においては、システム制御部１３３は、ライブビュー表示中にユーザから撮影指示を受けた場合、フォーカルプレーンシャッタ１２５と電子シャッタとを組み合わせたシャッタ動作を実行する。一方、システム制御部１３３は、ファインダ１１２を用いて被写体の撮影を行う通常の撮影モードにおいて、ユーザから撮影指示を受けた場合、フォーカルプレーンシャッタ１２５の先幕および後幕を走らせてシャッタ動作を実行する。
【００２５】
なお、システム制御部１３３は、デジタルカメラ１００に設けられた障害物センサの出力を参照し、ユーザがファインダ１１２を使用しているか否かを判断してもよい。例えば、システム制御部１３３は、ライブビュー表示中にユーザがファインダ１１２を使用していると判断した場合、ライブビュー表示を中断し、通常の撮影モードへ移行させる。
【００２６】
ミラー制御部１３６は、システム制御部１３３の指令の下、メインミラー１２０の移動を制御する制御信号を、メインミラー１２０を駆動するモータに送信する。また、サブミラー１２１も、メインミラー１２０に連動して移動する。通常の撮影モードで撮影動作を実行する場合、ミラー制御部１３６は、メインミラー１２０を退避位置に移動させる。そして、ミラー制御部１３６は、撮影動作が完了した後に、次の撮影に向けた撮影復帰動作として、ミラーチャージを実行する。具体的には、ミラー制御部１３６は、メインミラー１２０を斜設位置に移動させる。
【００２７】
フォーカス制御部１３７は、システム制御部１３３からの指令の下、フォーカスレンズ１１５の位置を制御する。本実施形態においては、フォーカス制御部１３７は、位相差検出方式またはコントラスト検出方式によってフォーカス調整を実行する。例えば、ユーザがファインダ１１２を使用して被写体の撮影を行う場合、フォーカス制御部１３７は、ＡＦセンサ１２４から出力される位相差信号を用いて、位相差検出方式によってフォーカス調整を実行する。一方、デジタルカメラ１００がライブビュー表示を実行している場合、フォーカス制御部１３７は、撮像素子１２６から取り込まれる被写界の画像を用いて、コントラスト検出方式によってフォーカス調整を実行する。
【００２８】
加速度センサ１３８は、デジタルカメラ１００の加速度を検出する。加速度センサ１３８は、例えばユーザがデジタルカメラ１００を移動させたときに、デジタルカメラ１００の移動に応じた加速度を検出する。加速度センサ１３８は、例えば３軸加速度センサである。計時部１３９は、システム制御部１３３からの指令に従って計時を開始する。システム制御部１３３は、計時部１３９からの出力信号を参照して、特定時点からの経過時間を計時する。例えば、システム制御部１３３は、計時部１３９と協働することによって、ユーザがデジタルカメラ１００に撮影動作を指示した時点からの経過時間を計時する。
【００２９】
ユーザは、タッチパネル１０４を接触操作することによって、デジタルカメラ１００に撮影動作等の指示を与える。ユーザがタッチパネル１０４を接触操作すると、タッチパネル１０４は、ユーザが触れた位置の座標および接触形態を検知し、ユーザによる接触操作の情報として、システム制御部１３３に出力する。システム制御部１３３は、ユーザからの操作を受け付けて、ユーザからの指示に応じた動作をするようにデジタルカメラ１００の各要素を制御する。
【００３０】
図４は、ライブビュー撮影を行う方法を説明するための図である。なお、ライブビュー撮影とは、表示部１０３がライブビュー画像を表示している間に、ユーザがタッチパネル１０４を接触操作することによって、被写体の撮影を行う撮影方式を示す。ユーザがライブビューボタン１０６を押すと、表示制御部１３２は、ライブビュー画像を表示部１０３にさせる。表示制御部１３２は、ライブビュー画像とともに、ユーザから撮影動作の指示を受け付けるための撮影ボタン２０２を、表示部１０３に表示させる。ライブビュー表示の実行中は、メインミラー１２０およびサブミラー１２１は、退避位置に配置される。また、フォーカルプレーンシャッタ１２５は、開放状態にされる。
【００３１】
次に、ユーザは、フォーカスを調整する領域を指定するために、ライブビュー画像中の被写体２００に対応するタッチパネル１０４上の位置に触れる。システム制御部１３３は、タッチパネル１０４から接触操作の情報を受信し、ユーザからの指示を受け付ける。そして、システム制御部１３３は、ユーザが指定した位置に対応して焦点検出領域２０１を設定する。焦点検出領域２０１が設定されると、表示制御部１３２は、図４に示すように、焦点検出領域２０１を示すアイコンを表示部１０３に表示させる。なお、システム制御部１３３は、ユーザがフォーカスを調整する領域を指定しなかった場合、例えばライブビュー画像の中央領域に焦点検出領域２０１を自動的に設定する構成であってもよい。
【００３２】
次に、システム制御部１３３は、フォーカス制御部１３７に指令を送り、コントラスト検出方式によって焦点検出領域２０１を合焦状態に調整する。そして、システム制御部１３３は、撮像素子１２６および画像処理部１２８を介して取り込まれた画像データを解析し、プログラム線図を参照して、露出値を算出する。次に、ユーザは、デジタルカメラ１００に撮影動作を指示するために、ライブビュー画像に表示された撮影ボタン２０２に対応するタッチパネル１０４上の位置に触れる。システム制御部１３３は、ユーザからの接触操作を受け付けて、算出した露出値を適用して撮影動作を実行する。
【００３３】
システム制御部１３３は、ライブビュー撮影時において、フォーカルプレーンシャッタ１２５と電子シャッタとを組み合わせたシャッタ動作を実行し、被写体像の撮影を行う。システム制御部１３３は、撮影動作が完了した後、次の撮影に向けた撮影復帰動作として、シャッタチャージを実行する必要がある。
【００３４】
ここで、上記したように、シャッタチャージは、フォーカルプレーンシャッタ１２５の先幕および後幕を機械的に移動させる動作を含む。このため、シャッタ制御部１３５がシャッタチャージを実行すると、動作音が発生する。したがって、コンサート等の静音性が求められる撮影環境においては、ユーザは、静音性を確保するために、撮影直後にシャッタチャージを実行させたくない場合がある。
【００３５】
そこで、本実施形態に係るデジタルカメラ１００においては、システム制御部１３３は、ユーザによって予め設定された条件が満たされるまで、撮影復帰動作を保留する。本実施形態に係るデジタルカメラの静音モードにおける撮影フローについて、以下に説明する。
【００３６】
図５は、本実施形態に係るデジタルカメラ１００を用いて静音モードで撮影する場合の撮影フローを示すフローチャートである。ユーザが上述した静音モードをＯＮに設定し、ライブビューボタン１０６を操作してライブビュー表示を開始したときに、システム制御部１３３は、図５に示す撮影フローを開始する。なお、図５に示す撮影フローが実行されている間、メインミラー１２０およびサブミラー１２１は、退避位置に配置された状態を維持する。
【００３７】
ステップＳ１０１において、システム制御部１３３は、図４を用いて説明したように、ユーザから焦点検出領域の指定を受け付ける。ステップＳ１０２において、システム制御部１３３は、フォーカス調整処理を実行し、ステップＳ１０１で指定された焦点検出領域を合焦状態に調整する。ステップＳ１０３において、システム制御部１３３は、測光処理を実行する。具体的には、システム制御部１３３は、撮像素子１２６および画像処理部１２８を介して取り込まれた画像データを解析し、プログラム線図を参照して、露出値を算出する。
【００３８】
ステップＳ１０４において、システム制御部１３３は、ユーザから撮影動作の指示がされたか否かを判断する。具体的には、図４を用いて説明したように、システム制御部１３３は、撮影ボタン２０２の接触操作を受け付けた場合に、ユーザから撮影動作の指示がされたと判断する。ユーザから撮影動作の指示がない場合、システム制御部１３３は、ステップＳ１０５へ進む。一方、システム制御部１３３は、ユーザから撮影動作の指示を受け付けると、ステップＳ１０６へ進む。
【００３９】
ステップＳ１０５において、システム制御部１３３は、一定時間が経過したか否かを判断する。具体的には、システム制御部１３３は、ステップＳ１０１において、ユーザから撮影対象領域の指定を受け付けた時点で、計時部１３９に計時の開始を指令する。そして、システム制御部１３３は、計時開始からの経過時間が、予め定められた時間を超えたか否かを判断する。システム制御部１３３は、一定時間が経過したと判断すると、ステップＳ１０１へ戻る。一方、システム制御部１３３は、一定時間が経過していないと判断すると、ステップＳ１０３へ戻る。
【００４０】
ステップＳ１０６において、システム制御部１３３は、撮影動作を実行する。撮像素子１２６は、シャッタ速度に応じた時間だけ露光し、被写体像を取り込む。撮像素子１２６から取り込まれた被写体像は、Ａ／Ｄ変換器１２７にてＡ／Ｄ変換され、画像処理部１２８へ送られる。画像処理部１２８は、記録部１３１に記録される画像データと並行して、表示部１０３に表示するための表示用の画像データを生成する。そして、ステップＳ１０７において、表示制御部１３２は、画像処理部１２８によって生成された表示用の画像を、ユーザの確認のために表示部１０３に確認表示する。
【００４１】
ステップＳ１０８において、システム制御部１３３は、撮影復帰動作処理を実行する。具体的には、システム制御部１３３は、予め設定された条件が満たされるまで、シャッタチャージ等の撮影復帰動作を保留する。なお、本処理については、後に詳述する。ここで、ステップＳ１０８の段階においては、フォーカルプレーンシャッタ１２５は、遮蔽状態となっている。このため、撮像素子１２６は、被写体光束を取り込むことができない。したがって、表示制御部１３２は、表示部１０３にライブビュー表示をすることができない。そこで、本実施形態においては、表示制御部１３２は、ステップＳ１０６で撮影された画像を、ステップＳ１０７において表示部１０３に確認表示する。このため、撮影動作後に表示部１０３の表示画像が消失してしまうことを防止することができる。
【００４２】
ステップＳ１０８において撮影復帰動作処理が完了したら、ステップＳ１０９において、システム制御部１３３は、ライブビュー表示を再開する。そして、デジタルカメラ１００は、ユーザから領域の指定を、再度受け付けることが可能な状態となる。ステップＳ１１０において、システム制御部１３３は、ライブビュー撮影を終了するか否かを判断する。具体的には、システム制御部１３３は、例えばユーザによってメニューボタン１０７または再生ボタン１１０が押されたことを検知した場合に、ライブビュー撮影を終了すると判断する。なお、システム制御部１３３は、ユーザによってデジタルカメラ１００の電源がＯＦＦとされたことを検知した場合も、ライブビュー撮影を終了すると判断する。システム制御部１３３は、ライブビュー撮影を継続すると判断すると、ステップＳ１０１へ戻る。一方、システム制御部１３３は、ライブビュー撮影を終了すると判断すると、図５に示す撮影フローを終了する。
【００４３】
上記したように、本実施形態においては、システム制御部１３３は、ステップＳ１０８の撮影復帰動作処理において、ユーザによって予め設定された条件が満たされるまで、シャッタチャージ等の撮影復帰動作を保留する。本実施形態に係る撮影復帰動作処理について、以下に詳細に説明する。
【００４４】
図６は、第一の実施例に係る撮影復帰動作処理を説明するための図である。本実施例においては、システム制御部１３３は、撮影動作の完了後に、ユーザによって再度タッチパネル１０４の接触操作が行われるまで、撮影復帰動作を保留する。具体的には、表示部１０３は、ステップＳ１０７で確認表示した画像２０３に重ねて、撮影復帰動作ボタン２０４を表示する。ユーザは、撮影復帰動作ボタン２０４に対応するタッチパネル１０４上の位置を接触操作する。システム制御部１３３は、ユーザからの接触操作を受け付けて、保留していたシャッタチャージを実行する。
【００４５】
図７は、第一の実施例に係る撮影復帰動作処理の一例を示す図である。図７に示すフローは、図５のステップＳ１０８に適用される。図７に示すフローが開始されると、ステップＳ２０１において、システム制御部１３３は、表示制御部１３２に指令を送り、表示部１０３に再生される撮影画像２０３に重ねて、撮影復帰動作ボタン２０４を表示させる。
【００４６】
ステップＳ２０２において、システム制御部１３３は、ユーザが撮影復帰動作ボタン２０４を接触操作したか否かを判断する。システム制御部１３３は、ユーザが撮影復帰動作ボタン２０４を接触操作していないと判断すると、ステップＳ２０１へ戻る。一方、システム制御部１３３は、ユーザが撮影復帰動作ボタン２０４を接触操作したと判断すると、ステップＳ２０３へ進む。
【００４７】
ステップＳ２０３において、システム制御部１３３は、撮影復帰動作として、シャッタチャージを実行する。具体的には、システム制御部１３３は、シャッタ制御部１３５に指令を送り、フォーカルプレーンシャッタ１２５の先幕および後幕を、シャッタ動作の待機位置に移動させる。次に、ステップＳ２０４において、システム制御部１３３は、フォーカルプレーンシャッタ１２５の先幕を走行させる。先幕を走行させることによって、フォーカルプレーンシャッタ１２５は、開放状態となり、撮像素子１２６に被写体光束を導入することが可能となる。そして、デジタルカメラ１００は、再びライブビュー表示が可能な状態となる。
【００４８】
本実施例によれば、ユーザは、自らが要望するタイミングで、動作音の発生を伴う撮影復帰動作を実行させることができる。例えば、ユーザは、コンサート会場等の撮影現場から移動した後に、撮影復帰動作を実行させる。このように撮影復帰動作を実行させることによって、ユーザは、コンサート会場等の静音性が求められる撮影環境において、撮影復帰動作に伴って動作音が発生してしまうことを防止することができる。
【００４９】
なお、本実施例においては、システム制御部１３３は、撮影動作の完了後にユーザがタッチパネルの接触操作を行うと、撮影復帰動作を開始する場合について述べた。しかし、これに限らず、システム制御部１３３は、ユーザが操作部材１０５のうちのいずれかを操作した場合に、撮影復帰動作を開始してもよい。
【００５０】
図８は、第二の実施例に係る撮影復帰動作処理を説明するための図である。本実施例においては、システム制御部１３３は、ユーザから撮影動作の指示を受け付けた時点から、ユーザによって予め設定された時間が経過するまで、撮影復帰動作を保留する。具体的には、システム制御部１３３は、ユーザによる撮影動作指示の時点からの経過時間と、予め設定された時間とを参照して、撮影復帰動作開始までの残り時間を算出する。表示部１０３は、ステップＳ１０７で確認再生した撮影画像２０３に重ねて、撮影復帰動作開始までの残り時間アイコン２０５を表示する。システム制御部１３３は、撮影復帰動作開始までの残り時間が０となったときに、撮影復帰動作を実行する。
【００５１】
図９は、第二の実施例に係る撮影復帰動作処理の一例を示す図である。図９に示すフローは、図５のステップＳ１０８に適用される。図９に示すフローが開始されると、ステップＳ３０１において、システム制御部１３３は、撮影復帰動作開始までの残り時間を表示部１０３に表示させる。具体的には、システム制御部１３３は、ユーザから撮影動作の指示を受け付けた時点で、計時部１３９に経過時間の計時を指示する。次に、システム制御部１３３は、撮影動作が完了した後、ユーザによって予め設定された時間と、計時部１３９によって計時される経過時間とを参照し、撮影復帰動作開始までの残り時間を算出する。そして、システム制御部１３３は、表示制御部１３２に指令を送り、表示部１０３に確認再生される撮影画像２０３に重ねて、撮影復帰動作開始までの残り時間アイコン２０５を表示させる。
【００５２】
ステップＳ３０２において、システム制御部１３３は、ユーザによって設定された時間が経過したか否かを判断する。具体的には、システム制御部１３３は、ステップＳ１０３にてユーザから撮影動作の指示を受け付けた時点からの経過時間が、ユーザによって予め設定された時間を超えたか否かを判断する。例えば、ユーザは、上記した静音モードセットアップ項目において、撮影動作の指示から撮影復帰動作開始までの時間を、１０秒に設定する。この場合、システム制御部１３３は、ステップＳ３０２において、計時部１３９によって計時された経過時間が１０秒に達したか否かを判断する。なお、システム制御部１３３は、ステップＳ１０６の撮影動作が完了した時点で、計時部１３９に計時開始を指示してもよい。
【００５３】
システム制御部１３３は、ステップＳ３０２において、ユーザによって設定された時間が経過していないと判断すると、ステップＳ３０１に戻る。この場合、システム制御部１３３は、Ｓ３０１において、計時部１３９により計時される経過時間に応じて、残り時間アイコン２０５の表示を更新する。一方、システム制御部１３３は、ステップＳ３０２において、ユーザによって設定された時間が経過したと判断すると、ステップＳ３０３へ進む。
【００５４】
ステップＳ３０３において、システム制御部１３３は、撮影復帰動作として、シャッタチャージを実行する。次に、ステップＳ３０４において、システム制御部１３３は、フォーカルプレーンシャッタ１２５の先幕を走行させる。そして、デジタルカメラ１００は、再びライブビュー表示が可能な状態となる。上記した第一の実施例と同様に、本実施例によれば、動作音の発生を伴う撮影復帰動作を、ユーザが要望するタイミングで実行させることができる。
【００５５】
図１０は、第三の実施例に係る撮影復帰動作処理を説明するための図である。図１０（ａ）および（ｂ）は、ユーザがデジタルカメラ１００をバッグ２０６等に収容する様子を模式的に表した図である。また、図１０（ｃ）は、図１０（ａ）および（ｂ）に対応して、デジタルカメラ１００に内蔵された加速度センサ１３８の出力波形を模式的に表したグラフを示す。なお、グラフにおいては、縦軸は加速度の振幅を、横軸は時間をそれぞれ示す。
【００５６】
本実施例においては、システム制御部１３３は、ユーザによってデジタルカメラ１００がバッグ等に収容されたと判断するまで、撮影復帰動作を保留する。具体的には、システム制御部１３３は、加速度センサ１３８によって検出される加速度を参照することによって、デジタルカメラ１００がバッグ等に収容されたか否かを判断する。
【００５７】
図１０（ａ）は、ユーザが撮影終了後にデジタルカメラ１００をバッグ２０６に収容する前の状態を示している。ユーザが撮影終了後のデジタルカメラ１００をバッグ２０６に収容するために、デジタルカメラ１００を図１０（ａ）中の矢印Ｂの方向に移動させる。デジタルカメラ１００が移動すると、加速度センサ１３８は、図１０（ｃ）のグラフ線２０７に示すように、デジタルカメラ１００の加速に応じた加速度Ａ１を検出する。
【００５８】
図１０（ｂ）は、ユーザがデジタルカメラ１００をバッグ２０６に収容した状態を示している。図１０（ｂ）に示すように、ユーザがデジタルカメラ１００をバッグ２０６に収容したとき、加速度センサ１３８は、図１０（ｃ）のグラフ線２０８に示すように、デジタルカメラ１００の減速に応じた加速度Ａ２を検出する。
【００５９】
本実施例においては、システム制御部１３３は、加速度センサ１３８の出力の変化を監視し、例えば図１０（ｃ）のグラフに示すような加速度の出力パターンを検出した場合に、デジタルカメラ１００がバッグ２０６に収容されたと判断する。例えば、図１０（ｃ）に示すように、システム制御部１３３は、グラフ線２０７に示す移動開始時の加速度Ａ１が、閾値ＡＴ１を超過し、且つ、グラフ線２０８に示す移動終了時の加速度Ａ２が、閾値ＡＴ２を超過した場合に、デジタルカメラ１００がバッグ２０６に収容されたと判断する。デジタルカメラ１００がバッグ２０６に収容されたと判断すると、システム制御部１３３は、撮影復帰動作を実行する。
【００６０】
なお、システム制御部１３３は、上記閾値ＡＴ１、ＡＴ２の代わりに、デジタルカメラ１００がバッグ２０６に収容されたか否かの判断の基準となる加速度パターンを用いてもよい。具体的には、システム制御部１３３は、加速度センサ１３８の出力パターンと、基準加速度パターンとを比較し、加速度センサ１３８の出力パターンと基準加速度パターンとの間の相関性を解析する。そして、システム制御部１３３は、加速度センサ１３８の出力パターンと基準加速度パターンとの間に相関性があると判断した場合に、デジタルカメラ１００がバッグ２０６に収容されたと判断する。なお、システムメモリ１３４は、基準加速度パターンを、予め複数種類記録していてもよい。記録される基準加速度パターンは、実験的またはシミュレーションによって定められてもよい。
【００６１】
図１１は、第三の実施例に係る撮影復帰動作処理の一例を示す図である。図１１に示すフローは、図５のステップＳ１０８に適用される。図１１に示すフローが開始されると、ステップＳ４０１において、システム制御部１３３は、デジタルカメラ１００の加速度を検出する。
【００６２】
ステップＳ４０２において、システム制御部１３３は、デジタルカメラ１００の加速度が、予め定められた第一の閾値を超えたか否かを判断する。図１０に示す例の場合、システム制御部１３３は、加速度Ａ１の振幅値が、予め定められた第一の閾値ＡＴ１を超えたか否かを判断する。システム制御部１３３は、ステップＳ４０２において、デジタルカメラ１００の加速度が、第一の閾値を超えていないと判断すると、ステップＳ４０１へ戻る。一方、システム制御部１３３は、デジタルカメラ１００の加速度が、第一の閾値を超えたと判断すると、ステップＳ４０３へ進む。
【００６３】
ステップＳ４０３において、システム制御部１３３は、再度、デジタルカメラ１００の加速度を検出する。そして、ステップＳ４０４において、システム制御部１３３は、デジタルカメラ１００の加速度が、予め定められた第二の閾値を超えたか否かを判断する。図１０に示す例の場合、システム制御部１３３は、加速度Ａ２の振幅値が、予め定められた第二の閾値ＡＴ２を超えたか否かを判断する。システム制御部１３３は、ステップＳ４０４において、デジタルカメラ１００の加速度が、第二の閾値を超えていないと判断すると、ステップＳ４０３へ戻る。一方、システム制御部１３３は、デジタルカメラ１００の加速度が、第二の閾値を超えたと判断すると、ステップＳ４０５へ進む。
【００６４】
ステップＳ４０５において、システム制御部１３３は、撮影復帰動作として、シャッタチャージを実行する。次に、ステップＳ４０６において、システム制御部１３３は、フォーカルプレーンシャッタ１２５の先幕を走行させる。そして、デジタルカメラ１００は、再びライブビュー表示が可能な状態となる。
【００６５】
本実施例によれば、ユーザは、動作音の発生を伴う撮影復帰動作を、デジタルカメラ１００をバッグ等に収容したタイミングで実行させることができる。したがって、ユーザは、静音性が求められる撮影環境において、撮影復帰動作に伴って発生する動作音の音量を抑制することができる。
【００６６】
なお、本実施例においては、システム制御部１３３は、加速度センサ１３８によって検出される加速度を参照することによって、デジタルカメラ１００がバッグ等に収容されたか否かを判断する場合について述べた。しかし、これに限らず、システム制御部１３３は、加速度センサ１３８の出力を参照してデジタルカメラ１００の姿勢を算出し、デジタルカメラ１００の姿勢に応じて、デジタルカメラ１００がバッグ等に収容されたか否かを判断してもよい。例えば、交換レンズ１０２が鉛直上方を向く姿勢にデジタルカメラ１００が一定時間以上保持された場合に、デジタルカメラ１００がバッグ等に収容されたと判断する。
【００６７】
なお、上記した実施形態においては、ユーザがライブビュー撮影を行う場合について説明した。しかし、上記実施形態の概念は、ユーザがファインダ１１２を用いて被写体の撮影を行う場合にも同様に適用することができる。以下に、ユーザがファインダ１１２を用いて撮影を行う場合について説明する。
【００６８】
システム制御部１３３は、ライブビュー表示中に、例えば障害物センサの出力からユーザがファインダ１１２を使用していると判断した場合、ライブビュー表示を中断し、ファインダ１１２を用いて被写体の撮影を行う通常の撮影モードへ移行させる。この場合、ミラー制御部１３６は、メインミラー１２０を斜設位置に配置させ、光学系１１３から入射される被写体像の一部をファインダ１１２へ導く。また、シャッタ制御部１３５は、フォーカルプレーンシャッタ１２５を遮蔽状態とする。ユーザがタッチパネル１０４を接触操作することによってデジタルカメラ１００に撮影動作を指示すると、ミラー制御部１３６は、メインミラー１２０を退避位置に移動させる。また、シャッタ制御部１３５は、フォーカルプレーンシャッタ１２５の先幕および後幕を、指定されたシャッタ速度に応じて動作させる。
【００６９】
上記実施形態と同様に、システム制御部１３３は、撮影動作終了後に、予め設定された条件が満たされるまで、ミラーチャージおよびシャッタチャージ等の撮影復帰動作を保留する。システム制御部１３３は、予め設定された条件が満たされると、ミラーチャージおよびシャッタチャージ等の撮影復帰動作を実行する。ここで、システム制御部１３３は、ミラーチャージを先に実行し、その後に、シャッタチャージを実行してもよい。このように、撮影復帰動作としてミラーチャージを先に実行することによって、ファインダ１１２の消失時間を、短縮させることができる。
【００７０】
なお、ユーザが撮影復帰動作としていずれの動作を保留するか選択することができてもよい。例えば、ユーザは、静音モードセットアップ項目において、ミラーチャージおよびシャッタチャージのいずれか一方の動作を保留するように設定する。この場合、システム制御部１３３は、ユーザからの設定を受け付けて、設定情報としてシステムメモリ１３４に記録する。そして、システム制御部１３３は、撮影動作の後に、上記設定情報を参照して、ミラーチャージまたはシャッタチャージのいずれか一方の動作を保留し、他方の動作を実行する。この場合、システム制御部１３３は、保留させる撮影復帰動作の選択を受け付ける選択部として機能する。上記のように、ユーザがファインダ１１２を使用して撮影を行う場合においても、ユーザは、自らが要望するタイミングで、動作音の発生を伴う撮影復帰動作を実行させることができる。
【００７１】
なお、メインミラー１２０およびフォーカルプレーンシャッタ１２５を、共通のモータにて駆動する場合がある。この場合、システム制御部１３３は、モータに制御信号を送信し、メインミラー１２０およびフォーカルプレーンシャッタ１２５を連動して動作させる。この場合のライブビュー撮影時においては、システム制御部１３３は、シャッタ動作と連動して、メインミラー１２０を退避位置に移動させる。そして、システム制御部１３３は、上記実施形態と同様に、ユーザによって予め設定された条件が満たされると、撮影復帰動作として、ミラーチャージおよびシャッタチャージを実行する。次に、システム制御部１３３は、メインミラー１２０を退避位置に移動させるとともに、フォーカルプレーンシャッタ１２５の先幕を走行させる。そして、システム制御部１３３は、ライブビュー表示を再開させる。
【００７２】
さらに他の実施形態として、システム制御部１３３は、静音モードでの撮影において、シャッタ速度を高速側にシフトさせて撮影動作を実行してもよい。具体的には、システム制御部１３３は、ユーザが静音モードをＯＮに設定し、撮影動作を指示した場合、シャッタ速度をより高速側にシフトさせたプログラム線図を参照し、露出値を算出する。そして、システム制御部１３３は、算出された露出値を適用して、撮影動作を実行する。本実施形態によれば、ユーザは、タッチパネル１０４の接触操作によって撮影を行う場合において、より手振れの少ない画像を撮影することができる。
【００７３】
また、システム制御部１３３は、撮影動作として、連続的に取得した複数の画像を、位置合わせして合成する合成処理を実行してもよい。具体的には、システム制御部１３３は、連写撮影した複数の画像の輝度分布を解析し、各画像の輝度分布の間の移動ベクトルを算出する。システム制御部１３３は、算出した移動ベクトルから、各画像の位置合わせを実行し、画像の合成処理を行う。なお、システム制御部１３３は、連写撮影を実行する場合には、フォーカルプレーンシャッタ１２５を動作させずに、電子シャッタによってシャッタ動作を実行する。
【００７４】
ここで、システム制御部１３３が、上記したように、シャッタ速度を高速側にシフトさせて撮影動作を実行した場合について考える。この場合、撮像素子１２６の露光時間が減少することによって、撮影された画像の輝度が暗くなってしまう場合がある。そこで、本実施形態においては、システム制御部１３３は、連続的に撮影した複数の画像を合成する処理を実行する。この場合、合成処理の結果生成される合成画像の輝度は、元の各画像の輝度をそれぞれ加算した値となる。このため、合成画像の輝度は、元の各画像と比べて明るくなる。したがって、デジタルカメラ１００は、十分な輝度を確保しつつ、より手振れが少ない画像を生成することができる。
【００７５】
なお、図５のステップＳ１０８の撮影復帰動作処理としては、図７、図９、および図１１に示すフローのいずれか一つを適用してもよいし、複数のフローを組み合わせて適用してもよい。また、上記実施形態においては、撮像装置の例としてレンズ交換式一眼レフデジタルカメラを用いて説明したが、他の形式のカメラであっても良い。具体的には、本実施形態の概念は、コンパクトデジタルカメラ１００等のレンズ非交換式カメラ、ミラーレス一眼カメラ等のレンズ交換式カメラ等に適用できる。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７８】
１００  デジタルカメラ、１０１  カメラ本体、１０２  交換レンズ、１０３  表示部、１０４  タッチパネル、１０５  操作部材、１０６  ライブビューボタン、１０７  メニューボタン、１０８  十字キー、１０９  決定ボタン、１１０  再生ボタン、１１１  撮影モードダイヤル、１１２  ファインダ、１１３  光学系、１１４  ズームレンズ、１１５  フォーカスレンズ、１１６  絞り、１１７  レンズシステム制御部、１１８  レンズマウント、１１９  カメラマウント、１２０  メインミラー、１２１  サブミラー、１２２  ペンタプリズム、１２３  測光センサ、１２４  ＡＦセンサ、１２５  フォーカルプレーンシャッタ、１２６  撮像素子、１２７  Ａ／Ｄ変換器、１２８  画像処理部、１２９  内部メモリ、１３０  外部機器ＩＦ、１３１  記録部、１３２  表示制御部、１３３  システム制御部、１３４  システムメモリ、１３５  シャッタ制御部、１３６  ミラー制御部、１３７  フォーカス制御部、１３８  加速度センサ、１３９  計時部、２００  被写体、２０１  焦点検出領域、２０２  撮影ボタン、２０３  画像、２０４  撮影復帰動作ボタン、２０５  残り時間アイコン、２０６  バッグ、２０７，２０８  線
【図１】
2013175881.tif 000003
【図２】
2013175881.tif 000004
【図３】
2013175881.tif 000005
【図４】
2013175881.tif 000006
【図５】
2013175881.tif 000007
【図６】
2013175881.tif 000008
【図７】
2013175881.tif 000009
【図８】
2013175881.tif 000010
【図９】
2013175881.tif 000011
【図１０】
2013175881.tif 000012
【図１１】
2013175881.tif 000013